(57)【要約】【課題】簡単な構成で放電電極表面の酸化や塵埃付着などによる劣化を軽減した電気掃除機を提供することを目的とする。【解決手段】イオンを放出する放電電極２と、前記放電電極２の表面を清掃する清掃手段であるブラシ４とを備えた電気掃除機で、前記ブラシ４と前記放電電極２の表面とを擦り合わせるもので、簡単な構成で実現できるとともに、前記放電電極２の表面を清掃することで、前記放電電極２の表面の酸化や塵埃付着などによる劣化を軽減し、長期間に渡ってイオンを安定して放出させることができる。【選択図】  図２
2004329599.tif 000002
【特許請求の範囲】
【請求項１】
イオンを放出する放電電極と、前記放電電極を清掃する清掃手段とを備えた電気掃除機。
【請求項２】
放電電極と清掃手段とのうち、少なくとも一方を動かす駆動手段を設けた請求項１記載の電気掃除機。
【請求項３】
電源コードを巻き取るドラムを有するコードリールを備え、前記ドラムの回転に連動して駆動手段が駆動する請求項２記載の電気掃除機。
【請求項４】
電動機で駆動手段を駆動させる請求項２記載の電気掃除機。
【発明の詳細な説明】
【０００１】
【発明の属する技術分野】
本発明は、イオンを発生する機能を有する電気掃除機に関するものである。
【０００２】
【従来の技術】
近年、マイナスイオンが生理作用を賦活化し生体に好影響を与えることが注目され、マイナスイオン発生機構を搭載した電気掃除機が各種商品化されている。
【０００３】
特に電気掃除機の場合には、正電荷を有する塵埃の吸着効率をあげるために床ノズルに応用する場合と、マイナスイオンを空気中に放出するために掃除機本体に搭載する場合とに大別されるが、後者の場合は５ｋＶ〜８ｋＶ程度の高圧を発生させる高圧回路を設け、放電電極によりコロナ放電を起させることによってイオンを発生させ、そのマイナスイオンを外部に放出するために、放電電極を、電気掃除機の後部に配した排気孔の近傍に設けていた（例えば、特許文献１参照）。
【０００４】
【特許文献１】
特開２００１−１７３６１号公報
【０００５】
【発明が解決しようとする課題】
しかしながら、従来の電気掃除機は上記のように、放電電極を、排気孔近傍に設けているために、排気に含まれる微細な塵埃が放電電極に付着したり、電極表面の酸化により、長期間使用すると次第にイオンの発生量が低下してくるといった課題があった。
【０００６】
本発明はこのような課題を解決するもので、簡単な構成で放電電極表面の酸化や塵埃付着などによる劣化を軽減した電気掃除機を提供することを目的とする。
【０００７】
【課題を解決するための手段】
上記目的を達成するために本発明は、イオンを放出する放電電極と、前記放電電極を清掃する清掃手段とを備えたもので、前記清掃手段で放電電極を清掃することにより、放電電極表面の酸化や塵埃付着などによる劣化を軽減することができるものである。
【０００８】
【発明の実施の形態】
本発明の請求項１記載の発明は、イオンを放出する放電電極と、前記放電電極を清掃する清掃手段とを備えたもので、前記清掃手段で放電電極を清掃することにより、放電電極表面の酸化や塵埃付着などによる劣化を軽減し、長期間に渡ってイオンを安定して放出させることができる。
【０００９】
本発明の請求項２記載の発明は、放電電極と清掃手段とのうち、少なくとも一方を動かす駆動手段を設けたもので、駆動手段により簡単に放電電極の表面の清掃ができるので、放電電極表面の酸化や塵埃付着などによる劣化を軽減することができる。
【００１０】
本発明の請求項３記載の発明は、電源コードを巻き取るドラムを有するコードリールを備え、前記ドラムの回転に連動して駆動手段が駆動するもので、掃除の開始、終了時のコードの出し入れの際に、放電電極の清掃が確実にできるので、放電電極表面の酸化や塵埃付着などによる劣化を軽減することができる。
【００１１】
本発明の請求項４記載の発明は、電動機で駆動手段を駆動させるもので、必要に応じ、しかも、確実に放電電極の清掃ができるので、放電電極表面の酸化や塵埃付着などによる劣化を確実に軽減することができる。
【００１２】
【実施例】
以下、本発明の一実施例を図１および図２を用いて説明する。
【００１３】
図において、１はマイナス５ｋＶ程度の高圧を発生する高圧回路であり、高圧電線１ａにより放電電極２に接続され、その先端からはコロナ放電によりマイナスイオンが放射されており、そのマイナスイオンを放出し易くするため、放電電極２は掃除機本体３の外郭に設けた排気孔３ａの近傍に配置している。
【００１４】
７は、ブラシ４を保持すると共に、掃除機本体３の一部に回転自在に取り付けられ、前記ブラシ４を上下動させる駆動手段となるブラシ固定台である。そしてブラシ固定台７と、電源コード５ａを巻きつけたコードリール５のドラム５ｂ間に動力伝達手段であるベルト６が張架され、ドラム５ｂの回転がブラシ固定台７に伝達されるようになっている。ブラシ固定台７上でのブラシ４の取り付け位置は、ブラシ固定台７を回転させた時に、その清掃手段であるブラシ４が放電電極２を擦るような位置にくるように設定されている。
【００１５】
上記構成において、その作用は以下の通りである。
【００１６】
掃除開始にあたり、掃除機本体３から電源コード５ａを引き出すと、ドラム５ｂが回転し、その回転力はベルト６を介して、ブラシ固定台７に伝わり、矢印Ａの方向に回転を行う。そしてブラシ４が、アの位置に来るたびに放電電極２と擦れ合い、放電電極２の表面の酸化膜や塵埃付着などを除去することができる。
【００１７】
また、掃除終了後、掃除機本体３に電源コード５ａを収納すると、ブラシ４はコードリール５の回転によりベルト６を介して矢印Ｂの方向に回転を行う。ブラシ４はその回転運動の中で、同様に、アの位置に来るたびに放電電極２と擦れ合い、放電電極２表面の酸化膜や塵埃付着などを除去することができる。
【００１８】
このように、掃除の始めと終わりのたびに放電電極２をブラシ４と擦り合わせることができるので、使用者は特に意識することもなく放電電極２の表面の酸化や塵埃付着などによる劣化を軽減することができるものである。
【００１９】
なお本発明では、ブラシ固定台７を回転して、ブラシ４を上下方向に動かして放電電極２を擦るようにしたが、ブラシ４を、左右方向或いは、放電電極２の軸方向と同一方向で前後させて、擦るようにしても良い。
【００２０】
また、上記実施例では、固定された放電電極２に対し、ブラシ４を動かして、放電電極２の表面を擦るようにしたが、逆にブラシ４を固定し、放電電極２を動かしても良く、要は放電電極２とブラシ４の位置関係を相対的に変化させる過程でお互いを擦り合わせるようにすればよい。
【００２１】
また、上記実施例では、放電電極２の表面をブラシ４で擦る駆動手段であるブラシ固定台７を、コードリール５のドラム５Ｂの回転に連動させたが、電動機を設けてその電動機を駆動源として駆動手段を駆動するようにすれば、使用者が自由に、且つ随時放電電極２の掃除ができるようになる。
【００２２】
【発明の効果】
以上のように、本発明によれば、ブラシで放電電極の表面を擦り合わせて清掃するといった、簡単な構成で放電電極表面の酸化や塵埃付着などによる劣化を軽減し、長期間に渡ってイオンを安定して放出することができるものである。
【図面の簡単な説明】
【図１】本発明の一実施例を示す電気掃除機の破断図
【図２】図１のＸ方向からの矢視図
【符号の説明】
２  放電電極
４  ブラシ
５  コードリール
７  ブラシ固定台（駆動手段）
【図１】
2004329599.tif 000003
【図２】
2004329599.tif 000004